(57)【要約】【解決する課題】本発明は、外パイプの内径部に沿って摺動させる内パイプを有する長さ調節の可能な連結パイプの長さを調節して固定するための係止具で、簡単に取り外しができ、容易に外パイプと内パイプの孔を整合させて所望の位置に調節して簡単に固定することができると共に、強固に係止できる係止具を提供する。【解決する手段】係止具が外パイプの孔と内パイプの孔を整合させて遊貫するピン１２と、外パイプに環装する開口部を有する断面がＣ形状の狭持部１１とよりなり、該狭持部１０の前記開口部１６の一方端に前記ピン１２を回動自在に軸着し、前記軸着したピンの頭部１３が当接する狭持部１１の略中央部にピンの頭部１３が係合するピン孔１５を設け、前記狭持部１１の他方端に、指を引っかけて起こすことのできる縁端部１７を有する係止具とした。【選択図】図１
2004358205.tif 000002
【特許請求の範囲】
【請求項１】
中空円筒部材製の側壁に少なくとも１つの貫通する孔を有する外パイプと、該外パイプの内径部に沿って摺動させる小径の中空円筒形部材製の側壁に複数個の貫通する孔を有する内パイプとよりなる長さ調節の可能な連結パイプの、前記外パイプと前記内パイプの孔を整合させて固定するための連結パイプを固定するための係止具であって、該係止具が前記外パイプの孔と前記内パイプの孔を整合させて遊貫するピンと、前記外パイプに環装する開口部を有する断面がＣ形状の狭持部とよりなり、該狭持部の前記開口部の一方端に前記ピンを回動自在に軸着し、前記軸着したピンの頭部が当接する狭持部の略中央部にピンの頭部が係合する孔を設けたことを特徴とする外パイプと内パイプよりなる連結パイプを固定する係止具。
【請求項２】
回動自在のピンが軸着された狭持部の他方端に、指を引っかけて起こすことのできる縁端部を有することを特徴とする請求項１に記載の外パイプと内パイプよりなる連結パイプを固定する係止具。
【請求項３】
外パイプと該外パイプ内を摺動する内パイプとよりなる杖であって、内パイプを摺動させて長さを調節して固定するために請求項１又は請求項２に記載の係止具を備えた杖。
【請求項４】
長さ調節可能なフレームが外パイプと該外パイプ内を摺動する内パイプとよりなるフレームを有する車椅子であって、前記内パイプを前記外パイプ内を摺動させてフレームの長さを調節して固定するために請求項１又は請求項２に記載の係止具を備えた車椅子。
【請求項５】
フレームが外パイプと該外パイプ内を摺動する内パイプとよりなるフレームを有する車椅子であって、前記内パイプにティッピングプレートを取着した内パイプと前記内パイプに転倒防止機構を取着した内パイプが相互に交換可能であって、前記外パイプと前記交換した内パイプを着設するために請求項１又は請求項２に記載の係止具を備えた車椅子。
【請求項６】
フレームが外パイプと該外パイプ内を摺動する内パイプとよりなるフレームを有する車椅子に取着されるクロスバーであって、該クロスバーの少なくとも一部が前記外パイプよりなり、該クロスバーで座幅を調節するために座幅の異なるクロスバーと相互に交換して着設するために請求項１又は請求項２に記載の係止具を備えた車椅子。
【発明の詳細な説明】
【技術分野】
【０００１】
本発明は、貫通した孔を有する外パイプの内径部に沿って摺動させる貫通した孔を有する内パイプとよりなる連結パイプの孔を整合させて固定する係止具に関わる。
【背景技術】
【０００２】
外パイプの内径部に沿って摺動させる内パイプを有する長さの調節が可能な連結パイプとしては、杖の長さ調節、車椅子のフットレストの高さ調節等、様々な器具で応用されている。例えば、杖の長さを調節する方法として、特許文献１、２、３等は、上段パイプの中に嵌挿された拡開弾性体が下段パイプに設けられたネジで締め付けることによって、拡開弾性体が上段パイプの中で押し広げられて下段パイプを任意の位置で固定して長さを調節する方法がある。この方法は長さの調節は容易であるが、ネジの締め付けが緩かったり、パイプ内に水や埃が入ると拡開弾性体がパイプ内を滑り、急に杖の長さが短くなったりする危険性があった。特許文献４に考案の杖は、大径の上段シャフト上端に把持ち部を固定し、小径の下段シャフト下端に石突きを設け、上段シャフト中段シャフト下段シャフトを伸縮可能な異径シャフトを以て構成し、長さ調節後に各段シャフトを固定するためのシャフトの長手方向に沿って複数個の通孔を穿設し、シャフト内に付設されたバネによって付勢されたピンを前記通孔に嵌係合するようにした杖において、長さ調節可能な杖を構成するシャフトの周面の長手方向に沿った一面を平面部に構成するとともに、この平面部の長手方向に長さ調節後に固定するための複数個の通孔を穿設して課題を解決するための手段としている。このようにバネで付勢されたピンによって、長さを調節する場合、バネのへたりが生じ調節ができなくなる等の問題がある。
【０００３】
また、外パイプと内パイプに貫通する複数個の孔を設けて、任意の位置で孔を整合させて、整合した孔にピンを係合させて長さ調節する方法がある。任意の位置で整合させた孔にピンを係合させて長さを調節して固定するための従来のピンの構造は図１１に示すように、硬質の樹脂で出来た開口部を有する断面がＣ形状の係止具の中央部にピンが着設されたものであった。この方法は外パイプと内パイプに穿設された孔にピンを挿入するものであるが、ピンが外パイプと内パイプを貫通しないために、安定性に欠ける点があった。さらに、長さを調節する場合は、硬質の樹脂でできた開口部を有する円筒Ｃ状の両端を持って連結パイプの孔からピンを引き抜かなければならず力のない人が片手で取り外したり、取付ることが困難であるという問題があった。
【特許文献１】実用新案公開昭６３−１２０９１６号公報（第２図参照）
【特許文献２】登録実用新案第３０７７３２８号公報（請求項１、図１参照）
【特許文献３】登録実用新案第３０８６０７２号公報（請求項１、図１参照）
【特許文献４】登録実用新案第３０５３８２６号公報（段落（［０００４］）参照）
【発明の開示】
【発明が解決しようとする課題】
【０００４】
本発明は、外パイプの内径部に沿って摺動させる内パイプを有する長さ調節の可能な連結パイプの長さを調節して固定するための係止具で、簡単に取り外しができ、容易に外パイプと内パイプの孔の位置を整合させて所望の長さに調節して簡単に固定することができると共に、強固に係止できる係止具を提供するものである。
【課題を解決するための手段】
【０００５】
上記課題を解決するために、鋭意検討を重ねた結果、外パイプと内パイプの孔を整合させて、整合した孔に狭持部の一方端に回動自在に軸着されたピンを遊貫させ、狭持部を外パイプに環装することにより、遊貫したピンの頭部が狭持部の中程に設けられた孔に係合して固定する係止具とした。
【０００６】
本発明の第１の特徴は、中空円筒部材製の側壁に少なくとも１つの貫通する孔を有する外パイプと、該外パイプの内径部に沿って摺動させる小径の中空円筒形部材製の側壁に複数個の貫通する孔を有する内パイプとよりなる長さ調節の可能な連結パイプの、前記外パイプと前記内パイプの孔を整合して固定するための連結パイプを固定する係止具であって、該係止具が前記外パイプの孔と前記内パイプの孔を整合させて遊貫するピンと、前記外パイプに環装する開口部を有する断面がＣ形状の狭持部とよりなり、該狭持部の前記開口部の一方端に前記ピンを回動自在に軸着し、前記軸着したピンの頭部が当接する狭持部の略中央部にピンの頭部が係合する孔を設けたことを特徴とする外パイプと内パイプよりなる連結パイプを固定する係止具である。ピンが係止具の開放された一方端に回動自在に軸着されているので、ピンが軸着された係止具の他方端を引き起こすと簡単にピンを引き抜くことが出来る。連結パイプの長さを調節する場合には、所望する長さの位置で、外パイプと内パイプを貫通するそれぞれの孔を整合させて、この孔にピンを挿入して、係止具の狭持部を外パイプの外周に沿って環装すると狭持部のピンに対向する狭持部の略中程に設けられた孔にピンが嵌合する。外パイプの貫通する孔にピンが嵌合しているので、強固に固定され、パイプががたつかない。
【０００７】
本発明の第２の特徴は、回動自在のピンが設けられた狭持部の他方端に、指を引っかけて起こすことのできる縁端部を有することを特徴とする請求項１に記載の外パイプと内パイプよりなる連結パイプの係止具である。回動自在のピンが設けられた狭持部の他方端に、指を引っかけて起こすことのできる縁端部を設けたことによって、力のない人でも片手で簡単に狭持部を引き起こして、ピンを引き抜くことができる。
【０００８】
本発明の第３の特徴は、外パイプと該外パイプ内を摺動する内パイプとよりなる杖であって、内パイプを摺動させて長さを調節して固定するために請求項１又は請求項２に記載の係止具を備えた杖である。外パイプ内を内パイプを摺動させて長さを調節し、調節した位置で本発明の係止具で簡単に固定することができる杖を提供することができる。
【０００９】
本発明の第４の特徴は、長さ調節可能なフレームが外パイプと該外パイプ内を摺動する内パイプとよりなるフレームを有する車椅子であって、前記内パイプを摺動させてフレームの長さを調節して固定するために請求項１又は請求項２に記載の係止具を備えた車椅子である。車椅子のフットレスト部分を取着する前部フレームを外パイプと該外パイプ内を摺動する内パイプで構成することにより、フットレスト等の高さを調節するために内パイプを外パイプ内を摺動させて長さを調節し、調節した位置で本発明の係止具で簡単に固定することができる。
【００１０】
本発明の第５の特徴は、フレームが外パイプと該外パイプ内を摺動する内パイプとよりなるフレームを有する車椅子であって、前記内パイプにティッピングプレートを取着した内パイプと前記内パイプに転倒防止機構を取着した内パイプが相互に交換可能であって、前記外パイプと前記交換した内パイプを着設するために請求項１又は請求項２に記載の係止具を備えた車椅子である。ティッピングプレートを取着した内パイプを転倒防止機構を取着した内パイプに交換することによって、ティッピングプレートを取着した介護用の車椅子から転倒防止機構を取着した小回りのきく自走用の車椅子に換えることができる。
【００１１】
本発明の第６の特徴は、フレームが外パイプと該外パイプ内を摺動する内パイプとよりなるフレームを有する車椅子に取着されるクロスバーであって、該クロスバーの少なくとも一部が前記外パイプよりなり、該クロスバーで座幅を調節するために座幅の異なるクロスバーと相互に交換して着設するために請求項１又は請求項２に記載の係止具を備えた車椅子である。本発明の係止具で着設された座幅の狭いクロスバーを座幅の広いロスバーに交換することにより、体の大きい人もゆったりと乗れる車椅子にすることができる。また、クロスバーの前後の長さを変えることによって、座部の前後の長さを変更することができる。病院やディーラーで幅や、前後の長さの異なるクロスバーを保管し、車椅子の利用者に合せて簡単にクロスバーを交換することができる。
【発明の効果】
【００１２】
複数の孔を有する外パイプと内パイプよりなる連結パイプの長さを調節した後、所望の調節位置で孔を整合させて、係止具の狭持部の一方端に回動自在に軸着されたピンを挿入すると、外パイプと内パイプを貫通する孔にピンが嵌合し、狭持部をパイプに沿って環着すると、狭持部の他方端に設けられたピン孔にピンが係合して外パイプと内パイプを強固に固定する効果を有している。さらに、回動自在のピンが軸着された狭持部の他方端に、指を引っかけて起こすことのできる縁端部を設けたことによって、片手で狭持部を起こして、ピンを簡単に引き抜くことができる効果を有している。
【００１３】
また、車椅子のフレームを外パイプと該外パイプの内側を摺動する内パイプとよりなるフレームで構成して、本発明の係止具を外パイプと内パイプの固定部材として用いることにより、フレームの長さの調整、部品の交換などを容易にすることができる。
【発明を実施するための最良の形態】
【００１４】
以下に本発明の実施の態様を図で説明するが、外パイプと内パイプよりなる連結パイプの長さを調節して固定するための係止具の形状は、要旨に含まれる範囲内において以下の実施例に限定されるものではない。
【００１５】
本発明の外パイプと内パイプよりなる連結パイプの長さを調節して固定するための係止具１０は図１（１−２）に示すように、開口部１６を有する断面がＣ形状の狭持部１１と、この開口部１６の一方端の軸着部１４に回動自在に軸着されたピン１２とよりなる。このピン１２は矢印方向に点線の位置に自在に回動する。ピン１２が係合するピン孔１５より図示すると、図１（１−１）に示すように、狭持部１１の中央部にピンの頭部１３が係合するピン孔１５が設けられ、ピン孔１５の上部に縁端部１７がある。また、ピン１２が回動自在に軸支されている方向より図示すると、図１（１−３）に示すように、ピン１２は開口部１６を有する断面がＣ形状の狭持部１１の開口部１６の一方端に設けられた軸着部１４にリベット１８で回動自在に軸着されており、開口部１６の他方端は指がかかるようにやや外に向いて膨らんだ縁端部１７となっている。
【００１６】
外パイプと内パイプよりなる連結パイプの長さを調節して固定する係止具１０の大きさは連結パイプの太さによって異なり特に限定されるものではないが、本発明においては、狭持部の幅が１８ｍｍであり、内径は２２ｍｍ、外径が３０ｍｍの狭持部を作成し、この狭持部に、太さが６ｍｍで、長さが３２ｍｍのピンを狭持部の一端に回動自在に軸着した係止具を作成した。係止具を形成するための材料は特に限定されるものではないが、耐久性、耐候性があって、軽量で弾力性のある樹脂等が望ましい。
【００１７】
本発明の外パイプと内パイプよりなる連結パイプの長さを調節して固定する係止具について、杖の長さを調節する例を図２に示す。杖は頂部に把持部１を備え、下端部に開口部を有する大径の中空円筒部材製の外パイプ２２と、上端部が前記外パイプ２２の前記開口部内に挿通でき、底部に接地用石突き２５を有し、かつ前記大径の中空円筒部材製の外パイプ２２の内径部に沿って摺動嵌合する小径の中空円筒形部材製の内パイプ２４とよりなる。この杖の長さを調節するために前記外パイプ２２と内パイプ２４に貫通する複数の孔２３を有し、この孔２３に係合するストッパーが開口部を有する断面がＣ形状の狭持部１１と、該開口部を有する狭持部１１の一方端にピン１２が軸着された係止具１０である。
【００１８】
連結パイプに取着された係止具１０の開口部１６を有する狭持部１１の開放された縁端部１７を引き起こすと、ピン１２が軸着部１４に回動自在にリベット１８で軸着されていることにより、ピン１２は連結パイプの孔２３に止まり、狭持部１１が回転してピン１２を孔２３から簡単に引き抜くことが出来る。連結パイプの長さを調節する場合には、外パイプ２２内を内パイプ２４を摺動させて所望の位置で、外パイプ２２と内パイプ２４の孔２３の位置を整合させてピン１２を挿入し、狭持部１１の縁端部１７をパイプに沿って押し込むと、ピン１２に対向する他方端に設けられたピン孔１５にピンの頭部１３が係合して、係止具１０が強固に固定される。
【００１９】
さらに、回動自在のピン１２が軸着された狭持部１１の他方端に、指を引っかけて起こすことのできる縁端部１７を設けたことを特徴としている。回動自在のピン１２が軸着された狭持部１１の他方端に、指を引っかけて起こすことのできる縁端部１７を設けたことによって、力のない人でも端縁部１７に指を掛けて、片手で狭持部１１を起こしてピン１２を引き抜くことができる。
【００２０】
このように係止具１０の着脱が容易であることから、内パイプ２４を外パイプ２２の奥まで押し込んで係止具１０で係止することによって、杖が不要な時は短い状態で係止して手元に置いておくことができる。
【００２１】
さらに、本発明係止具１０を２箇所に係止具を取着することも可能である。外パイプに２箇所の貫通する孔を設け、内パイプに外パイプの孔と等間隔の貫通する孔を複数個設けることによって、外パイプと内パイプの２箇所の貫通孔を整合させて、２箇所に係止具を環装することによって、安定感が増すと共に、美観がよくなる。
【００２２】
図３はロフストランドクラッチタイプ３０の杖を示す。ロフストランドクラッチタイプ３０の杖は腕を支える部分３１と把持部３４の間に外パイプ３３と内パイプ３２があり、使用者の腕の長さに合わせて腕を支える部分３１と把持部３４の間を調節して外パイプ３３と内パイプ３２の孔を合わせて本発明係止具１０で固定する。さらに、把持部３４から石突き３７までの長さを調節して、内パイプ３６と外パイプ３５の孔の位置を合わせて本発明係止具１０で固定する。本発明の連結パイプの係止具は、外パイプと内パイプに設けられた穴を貫通して係止するため、パイプが回転せず、強固に固定することができる。
【００２３】
さらに、車椅子４０のフットレスト４３の高さを調節する場合は、図４、図５に示すように、車椅子４０の前部に設けられた下端部に開口部を有する大径の中空円筒部材製の外パイプ４１と、上端部が前記外パイプ４１の前記開口部内に挿通でき、底部にフットレスト４３を有し、かつ前記大径の中空円筒部材製の外パイプ４１の内径部に沿って摺動嵌合する小径の中空円筒形部材製の内パイプ４２とよりなる。この外パイプ４１に貫通する少なくとも１つの孔と内パイプ４２に貫通する複数個の孔４４を穿設し、内パイプ４２を摺動させて所望の高さに調節して、外パイプ４１と内パイプ４２の孔４４を整合させて本発明の係止具１０で係止することによって、フットレスト４３を所望の高さに安定に保持することができる。端縁部に指を掛けて起こすと狭持部がピンの軸着部を中心に回転して簡単に着脱出来るので、高さの調節が容易である。外パイプ４１と内パイプ４２の貫通する孔４４を整合させてピンが嵌合しているので、フットレストが強固に保持される。
【００２４】
図６に示す下部フレーム４５に回動自在にクロスバー４６を接合させるために、テッピングプレー４７を取着した内パイプ４２を下部フレーム４５とクロスバー４６に貫通させて、本発明の係止具１０を使用して、長さを調節することできるように固定することができる。すなわち、図７に示すテッピングプレート４７を取着した内パイプ４２を図６に示すクロスバー４６とクロスバーの前後の下部フレーム４５に挿入して、図８に示すように係止具１０のピンをピン穴４４に挿入して係合させることによって、クロスバー４６を回動自在に下部フレーム４５にクロスバー４６を取着することができる。テッピングプレートの取着された内パイプ４２に下部フレーム４５のピン穴４４に係合するように、複数個のピン穴４４を穿設することによって、テッピングプレート４７の位置を前後に調節することができる。テッピングプレートを着設した内パイプに換えて、内パイプの端部を車椅子の下方に向けた内パイプ又は、端部に小車輪を着設した転倒防止付きの内パイプに換えることができる。さらに、幅の異なるクロスバー４６に交換することによって、車椅子の前後の長さを調節することもできる。
【００２５】
図９に示す９−１は、キャスターのない転倒防止機構５１と、小キャスター５２の付いた転倒防止機構５１を９−２に示している。９−１に示すキャスターのない転倒防止機構５１は車椅子の後方に体重が掛かった場合に、車椅子が後方に倒れないように支えるために取着される。９−２に示す小キャスター５２の付いた転倒防止機構５１は、後方に体重を掛けて、前部のキャスターを持ち上げて小回りがきくようになる。テッピングプレート４７を着設した内パイプは、係止具を取り外して簡単に図９に示す転倒防止機構５１を備えた内パイプに交換することができる。
【００２６】
図１０はフレームの一部が外パイプ４１となっているクロスバー４６と、クロスバー４６を取着するサイドフレーム枠４９との関係を示す。座幅又は前後の異なるクロスバー４６の上部フレーム４８をサイドフレーム枠４９に着設されたクロスバー載架部４９（ａ），４９（ｂ）に載架して、クロスバーの下部に着設された外パイプ４１をサイドフレーム枠４９の下部フレーム４５の間に嵌めて、内パイプ４２を挿嵌して本発明の係止具のピンをピン孔４４に挿入して固定する。クロスバー４６の交換はこの係止具をピン孔４４から抜いてクロスバー４６を取り外して、幅の異なるクロスバー４６を装着して係止具で固定するだけで交換作業は終了する。
【図面の簡単な説明】
【００２７】
【図１】係止具の側面図、及び上面図である。
【図２】杖の斜視図である。
【図３】ロフストランドクラッチタイプの杖の側面図である。
【図４】車椅子の斜視図である。
【図５】車椅子のフットレストの部分斜視図である。
【図６】車椅子の下部フレームとクロスバー部分の斜視図である。
【図７】テッピンプレートと内パイプの斜視図である。
【図８】車椅子の下部フレームとクロスバーを内パイプで接続した部分斜視図である。
【図９】転倒防止機構の斜視図である。
【図１０】クロスバーとサイドフレーム枠の部分斜視図である。
【図１１】従来の係止具の上面図である。
【符号の説明】
【００２８】
１０：係止具
１１：狭持部
１２：ピン
１３：ピンの頭部
１４：軸着部
１５：ピン孔
１６：開口部
１７：縁端部
１８：リベット
２０：杖
２１：把持部
２２：外パイプ
２３：孔
２４：内パイプ
２５：石突き
３０：ロフストランドクラッチタイプの杖
３１：腕を支える部分
３２：内パイプ
３３：外パイプ
３４：把持部
３５：外パイプ
３６：内パイプ
３７：石突き
４０：車椅子
４１：外パイプ
４２：内パイプ
４３：フットレスト
４４：ピン穴
４５：下部フレーム
４６：クロスバー
４７：テッピングプレート
４８：クロスバー上部フレーム
４９：サイドフレーム枠
５０：クロスバー固定部
５１：転倒防止機構
５２：小キャスター
【図１】
2004358205.tif 000003
【図２】
2004358205.tif 000004
【図３】
2004358205.tif 000005
【図４】
2004358205.tif 000006
【図５】
2004358205.tif 000007
【図６】
2004358205.tif 000008
【図７】
2004358205.tif 000009
【図８】
2004358205.tif 000010
【図９】
2004358205.tif 000011
【図１０】
2004358205.tif 000012
【図１１】
2004358205.tif 000013